(57)【特許請求の範囲】
【請求項１】
ＣＤＭＡ通信システムにおいて使用される無線送信装置であって、
制御チャネルを並列に送信する第１アンテナおよび第２アンテナと、
前記第１アンテナから送信される制御チャネルまたは前記第２アンテナから送信される制御チャネルに、セルサーチに用いられる第１サーチコードおよび第２サーチコードの双方を同一タイミングで多重する多重手段と、
前記第１サーチコードおよび前記第２サーチコードが多重される制御チャネルを、前記第１アンテナから送信される制御チャネルと前記第２アンテナから送信される制御チャネルとの間において所定の切替パターンで切り替える切替手段と、
を具備することを特徴とする無線送信装置。
【請求項２】
前記切替手段は、前記第１サーチコードおよび前記第２サーチコードが多重される制御チャネルを、前記第１アンテナから送信される制御チャネルと前記第２アンテナから送信される制御チャネルとの間において交互に切り替える、
ことを特徴とする請求項１記載の無線送信装置。
【請求項３】
前記多重手段は、前記制御チャネルに前記第１サーチコードおよび前記第２サーチコードを時間多重する、
ことを特徴とする請求項１記載の無線送信装置。
【請求項４】
前記多重手段は、前記制御チャネルに前記第１サーチコードおよび前記第２サーチコードをコード多重する、
ことを特徴とする請求項１記載の無線送信装置。
【請求項５】
請求項１から請求項４のいずれかに記載の無線送信装置を具備することを特徴とする移動体通信基地局装置。
【請求項６】
ＣＤＭＡ通信システムにおいて使用される無線送信方法であって、
第１アンテナおよび第２アンテナから並列に送信される制御チャネルのいずれか一方に、セルサーチに用いられる第１サーチコードおよび第２サーチコードの双方を同一タイミングで多重する多重工程と、
前記第１サーチコードおよび前記第２サーチコードが多重される制御チャネルを、前記第１アンテナから送信される制御チャネルと前記第２アンテナから送信される制御チャネルとの間において所定の切替パターンで切り替える切替工程と、
を具備することを特徴とする無線送信方法。
【発明の詳細な説明】
【０００１】
【発明の属する技術分野】
本発明は、ＣＤＭＡ通信システムにおいて使用される無線送信装置及び無線送信方法に関する。
【０００２】
【従来の技術】
次世代移動通信方式に用いる多元接続方式としてＣＤＭＡ（Code Division Multiple Access）が開発されている。このＣＤＭＡセルラシステムにおいては、移動局が電源をオンした時の初期同期確立作業や移動に伴うセル切替え（ハンドオーバ）などにセルサーチを行なう必要がある。
【０００３】
このＣＤＭＡセルラシステムにおけるセルサーチ法に関しては、樋口、佐和橋、安達らの”ＤＳ−ＣＤＭＡ基地局間非同期セルラにおけるロングコードマスクを用いる高速セルサーチ法”信学技報  ＲＣＳ９６−１２２，１９９７−０１）に記載されているように、下り制御チャネルのロングコードをマスクし、このマスクされた部分について各セル共通のショートコードで相関検出を行うことにより、ロングコードのタイミング及びその種類を検出する方法が提案されている。
【０００４】
この方式では、送信側（基地局）は各セル共通のショートコード（ＣＳＣ）で拡散されたシンボル及び各セルのロングコードに応じたロングコードグループ識別ショートコード（ＧＩＣ）で拡散されたシンボルをサーチ用コード（サーチコード）としてロングコードマスク部にコード多重して送信し、受信側（移動局）は各セル共通のショートコードによるタイミングを検出した後に、ロングコードグループ識別ショートコードを用いてロングコード同定部でサーチすべきロングコード候補を限定し、さらにこのロングコード候補からセル固有のロングコードを特定することにより、高速なセルサーチを実現するものである。
【０００５】
また、送信側において１セクタ当たり複数の送信アンテナを備え、制御チャネル信号を異なるショートコードで拡散し、それぞれ複数のアンテナから並列に送信する場合には、送信ダイバーシチ効果によりフェージング変動（特に低速移動時）やシャドウイングに対して強くなり制御チャネル信号の受信特性の向上が図れる。
【０００６】
一般に、並列送信においては、ロングコードは複数アンテナ間で同一コードを用い、また送信パワは他チャネルや他セルへの干渉を考慮して、アンテナ１本時に１のパワで送信する場合には、アンテナ数が２本だと０．５，０．５で送信することが行われる。このとき、各アンテナからの送信パワが弱くなった分、１本ごとの受信特性は劣化するが、受信側では複数からの送信信号を合成することによりダイバーシチ効果が図れ最終的には受信特性の向上が図れることになる。
【０００７】
【発明が解決しようとする課題】
しかしながら、上記セルサーチ方法においては、複数のアンテナから同時に同一のサーチコードを送信すると、受信側ではマッチドフィルタ数は増加しないが、独立したフェージング変動により受信特性が劣化する。一方、制御チャネルと同様に異なるショートコード（サーチコード）を用いると、コード不足が発生したり、受信側でのマッチドフィルタ数の増加や干渉（サーチコード同士の相互相関）増加による受信特性劣化等の課題が発生する。
【０００８】
本発明はかかる点に鑑みてなされたものであり、送信側で制御チャネル信号を複数のアンテナから並列に送信する場合においても、受信側のセルサーチにおいて、フェージング変動による受信特性の劣化を防止でき、マッチドフィルタ数の増加や干渉増加による受信特性劣化を防止できる無線送信装置及び無線送信方法を提供することを目的とする。
【０００９】
【課題を解決するための手段】
無線通信システムにおいて、複数のアンテナから並列に送信を行なう技術（並列送信）が検討されている。この並列送信においては、送信信号の送信順位及びタイミングや、拡散コードにはよらず、単に複数のアンテナから並列に送信を行なう送信方式をすべて含むものとする。また、最近、ＣＤＭＡ無線通信システムにおいて、複数のアンテナを用いた直交送信ダイバーシチ方式(ＯＴＤ)を導入することが検討されている。この技術は、送信ダイバーシチ効果により受信特性を効果的に向上させる技術である。
【００１０】
そこで、本発明者らは、ＣＤＭＡセルラシステムのセルサーチに並列送信技術を導入することに着目し、送信ダイバーシチ効果により受信特性を向上させることを見出し、本発明をするに至った。これにより、フェージング変動（特に、低速移動時）やシャドウイングに対して強くなり、受信特性を向上させることができる。
【００１１】
さらに、ＯＴＤ技術を制御チャネル、例えば止まり木チャネルに適用してダイバーシチ効果を発揮させて受信特性を向上させることを見出し、本発明をするに至った。これにより、同一送信パワ時のセル半径（カバーエリア）を拡大することができ、同一エリアにおける止まり木チャネル送信パワの低減による他チャネルへの干渉を抑圧することができる。
【００１２】
すなわち、本発明の骨子は、サーチコードを挿入して送信する制御チャネル（ＣＣＨ）を複数アンテナから並列にダイバーシチ送信する際に、サーチコードの送信について複数アンテナから切り替えて送信する（ＴＳＤＴ：Time-Switched Transmit Diversity）ことである。
【００１３】
具体的には、サーチコードの送信アンテナを切替え、瞬時では１つのアンテナからのみサーチコードが送信されるようにする。この場合、切替えは、周期的でもランダムでも良い。すなわち、サーチコードだけはＴＳＴＤにより送信する。サーチコードが複数コード多重して送信される場合は、常時多重して同一アンテナから送信する方法と、異なるアンテナから送信する方法が考えられる。同一アンテナ送信については、一方のコードを使用して、データ変調されたもう一方のコードを検波する場合に必要となる。
【００１４】
【発明の実施の形態】
本発明の無線送信装置は、ＣＤＭＡ通信システムにおいて使用される無線送信装置であって、制御チャネルを並列に送信する第１アンテナおよび第２アンテナと、前記第１アンテナから送信される制御チャネルまたは前記第２アンテナから送信される制御チャネルに、セルサーチに用いられる第１サーチコードおよび第２サーチコードの双方を同一タイミングで多重する多重手段と、前記第１サーチコードおよび前記第２サーチコードが多重される制御チャネルを、前記第１アンテナから送信される制御チャネルと前記第２アンテナから送信される制御チャネルとの間において所定の切替パターンで切り替える切替手段と、を具備する構成を採る。
【００１５】
本発明の無線送信装置は、上記構成において、前記切替手段が、前記第１サーチコードおよび前記第２サーチコードが多重される制御チャネルを、前記第１アンテナから送信される制御チャネルと前記第２アンテナから送信される制御チャネルとの間において交互に切り替える構成を採る。
【００１６】
これらの構成によれば、制御チャネルは、送信ダイバーシチ効果によりフェージング変動（特に低速移動時）やシャドウイングに対して強くなり受信特性の向上が図れるばかりでなく、サーチコードに対しても切替え送信ダイバーシチ効果が発揮され、フェージング変動、特に低速移動時のフェージング変動やシャドウイングに対して強くなり、受信側における受信特性が向上する。
【００３２】
以下、本発明の実施の形態について、添付図面を参照して詳細に説明する。
（実施の形態１）
まず、図１を用いて並列送信について説明する。図１は、本発明の実施の形態１に係る基地局装置において並列送信を行なう装置の構成を示すブロック図である。この装置は、送信データをそれぞれ複数（図中２つ）のデータ変調部１０１，１０２でデータ変調し、拡散変調部１０３，１０４で拡散変調し、無線送信回路１０５，１０６で搬送波に乗せてアンテナ１０７，１０８を介して送信するものである。
【００３３】
次に、図２を用いてロングコードマスクの生成について説明する。図２は、本発明の実施の形態１に係る基地局装置においてロングコードマスクの生成を行なう装置の構成を示すブロック図である。この装置において、制御チャネル信号をデータ変調回路２０１でデータ変調し、あらかじめ乗算器２０２で乗算されたショートコードＳＣ０とロングコードＬＣｊを乗算器２０３でデータ変調されたデータに乗算する。
【００３４】
制御チャネル信号においてマスクをかける部分には、ショートコードＣＳＣ（ファーストサーチコード）及びグループ識別コードＧＩＣｊ（セカンドサーチコード）を加算する。このショートコードＣＳＣ及びグループ同定コードＧＩＣｊは、図中に示すパルス波形のマスク制御信号２０６に応じてスイッチ２０５により適宜切り替えられて、制御チャネル信号に対してマスクとして加えられる。
【００３５】
次に、図３を用いて本実施の形態の送信装置について説明する。図３は、本発明の実施の形態１に係る基地局装置における送信装置の構成を示すブロック図である。
【００３６】
この送信装置は、２系統の並列送信が可能であり、制御チャネル信号についてデータ変調を行なうデータ変調回路３０１，３０２と、変調された信号に特定のコードを乗算する乗算器３０４，３０６と、ロングコードＬＣｊ（スクランブリングコード）とショートコードＳＣ０，ＳＣ１とをそれぞれ乗算する乗算器３０３，３０５と、サーチコードを発生するサーチコード多重部と、サーチコードの多重先を切り替える切替手段であるスイッチ３０９，３１０と、を備えている。
【００３７】
サーチコード多重部は、図６に示すように、ショートコードＣＳＣとグループ識別コードＧＩＣｊを加算する加算器３０７と、加算されたコードをいずれかの制御チャネル信号にマスクとして多重させるスイッチ３１１とから主に構成されている。
【００３８】
次に、上記構成を有する送信装置の動作について説明する。
制御チャネル信号は、それぞれデータ変調回路３０１及び３０２に入力され、データ変調処理が施される。また、乗算器３０３及び３０５では、ロングコードＬＣｊとショートコードＳＣ０，ＳＣ１とが乗算される。このように乗算されたロングコードＬＣｊ及びショートコードＳＣ０がデータ変調回路３０１の出力に乗算器３０４で乗算され、ロングコードＬＣｊ及びショートコードＳＣ１がデータ変調回路３０２の出力に乗算器３０６で乗算される。
【００３９】
例えば、この送信装置を備えた基地局装置において、ロングコードＬＣｊは、各基地局で異なるように割り当てられる。また、上述したように、制御チャネル信号は、ロングコードＬＣｊ及びショートコードＳＣで二重に拡散される。このため、各基地局では、共通のショートコード群を使用することができる。
【００４０】
一方、サーチコード多重部では、ショートコードＣＳＣとグループ識別コードＧＩＣｊが加算器３０７で加算され、スイッチ（ＴＳＷ）３０８の切替えにより、いずれかの制御チャネル信号に多重されるようになっている。スイッチ３０８の切替えは、送信アンテナ切替制御信号３１１により制御される。
【００４１】
また、スイッチ（ＳＷ０）３０９及びスイッチ（ＳＷ１）３１０では、所定のタイミングでスイッチがＯＮ状態となり、前記ショートコードＣＳＣとグループ識別コードＧＩＣｊがそのタイミングで制御チャネル信号に多重される。
【００４２】
したがって、スイッチＴＳＷ３０８が図３中の波形のタイミングでＯＮになっている、すなわち多重先と選択されている場合において、スイッチＳＷ０，ＳＷ１が図３中の波形のタイミングでＯＮとなり、制御チャネル信号にショートコードＣＳＣとグループ識別コードＧＩＣｊが多重される。なお、このスイッチＳＷ０，ＳＷ１は、マスク制御信号３１２により制御される。すなわち、スイッチＳＷ０，ＳＷ１は、特定のタイミングでいずれかの制御チャネル信号にショートコードＣＳＣとグループ識別コードＧＩＣｊが多重されるように制御される。
【００４３】
このように制御することにより、図８及び図９に示すように、サーチコードがマスク８０１，９０１として多重される。ここで、図８は、サーチコードと制御チャネル信号とを時間多重した状態を示す図である。この場合、制御チャネル信号とマスクとは異なるショートコードまたは同じショートコードを使用することができる。また、図９は、サーチコードと制御チャネル信号とをコード多重した状態を示す図である。この場合は、制御チャネル信号とマスクとは異なるショートコードを使用する必要がある。
【００４４】
図８に示すように、サーチコードと制御チャネル信号とを時間多重すると、同一時間に重なることがないため、ショートコードを共通化することができ、サーチコードと制御チャネル信号とをコード多重すると、サーチコード用に新たなショートコードを用意する必要があるが、多重処理やサーチコードの送信パワ制御を制御チャネルとは独立してすることができる。
【００４５】
本実施の形態においては、サーチコード多重部が、図６に示すように、複数のコード（ここでは２つ）が制御チャネル信号に同期して多重されるように、サーチコードの多重先を切り替える構成（同一のアンテナからサーチコードを送信する構成）である場合について説明している。このような構成においては、一つのコードを既知信号としてチャネル推定に使用すれば、他のコードに対してデータ変調を施して送信した場合においても、、チャネル推定結果を用いてデータ変調された他のコードを検波することができる。
【００４６】
また、サーチコード多重部については、図７に示す構成、すなわち複数のコードが制御チャネル信号に独立して多重されるように、サーチコードの多重先を切り替える構成（異なるアンテナからサーチコードを送信する構成）であっても良い。すなわち、サーチコード多重部は、ショートコードＣＳＣの多重先を単独で切り替えるスイッチ７０１と、グループ識別コードＧＩＣｊの多重先を単独で切り替えるスイッチ７０２と、ショートコードＣＳＣとグループ識別コードＧＩＣｊを加算する加算器７０３，７０４とを備えた構成であっても良い。このスイッチ７０１，７０２は、送信アンテナ切替制御信号により制御される。
【００４７】
このような構成においては、種々のタイミングでマスク多重を行なうことができるので、マスク多重のバリエーションを増加することができる。また、制御チャネルの送信電力に比べて、サーチコードの送信電力が強い場合においても、複数のサーチコードが同時に同一アンテナから送信することを防止できるため、送信アンプにおいて要求されるピークファクタを低減することができる。
【００４８】
本実施の形態の送信装置によれば、サーチコードの送信アンテナを切替え、瞬時では１つのアンテナからのみサーチコードが送信されるようにする。この場合、切替えは、周期的でもランダムでも良い。すなわち、サーチコードだけはＴＳＴＤにより送信する。但し、サーチコードの送信パワは制御チャネルとは独立して制御される。
【００４９】
これにより、送信ダイバーシチ効果が発揮され、フェージング変動、特に低速移動時のフェージング変動やシャドウイングに対して強くなり、受信側における受信特性が向上する。また、本実施の形態の送信装置によれば、受信側において、セルサーチに要するマッチドフィルタなどの相関器の数を減らすことができ、受信特性を向上しつつ装置構成を簡易なものにすることができる。
【００５０】
なお、制御チャネルの送信ダイバーシチ方式とサーチコードの送信ダイバーシチ方式は異なる方式であり、それぞれに得られる効果や所要受信特性が異なることから、サーチコードの送信パワは制御チャネルの送信パワ制御とは独立に制御されること考えられる。例えば、制御チャネルは２本の並列送信により、半分（０．５）のパワで送信される場合でも、サーチコードは１本の場合と同パワ（１）で送信することが考えられる。
【００５１】
（実施の形態２）
本実施の形態では、並列送信の一態様であるＯＴＤを採用した場合について説明する。図４は、本発明の実施の形態２においてＯＴＤを行なう装置の構成を示すブロック図である。この装置は、送信データをシリアル／パラレル変換部４０１で複数系統（図中では２系統）にパラレル変換し、それぞれ送信データをデータ変調部４０２，４０３でデータ変調し、拡散変調部４０４，４０５で拡散変調し、無線送信回路４０６，４０７で搬送波に乗せてアンテナ４０８，４０９を介して送信するものである。
【００５２】
次に、図５を用いて本実施の形態の送信装置について説明する。図５は、本発明の実施の形態２に係る基地局装置における送信装置の構成を示すブロック図である。
【００５３】
この送信装置は、２系統の並列送信が可能であり、制御チャネル信号をシリアル／パラレル変換するシリアル／パラレル変換部５０１と、制御チャネル（例えば止まり木チャネル）信号についてデータ変調を行なうデータ変調回路５０２，５０３と、変調された信号に特定のコードを乗算する乗算器５０５，５０７と、ロングコードＬＣｊとショートコードＳＣ０，ＳＣ１とをそれぞれ乗算する乗算器５０４，５０６と、サーチコードを発生するサーチコード多重部と、サーチコードの多重先を切り替える切替手段であるスイッチ５１０，５１１と、を備えている。
【００５４】
サーチコード多重部は、ショートコードＣＳＣとグループ識別コードＧＩＣｊを加算する加算器５０８と、加算されたコードをいずれかの制御チャネル信号にマスクとして多重させるスイッチ５０９とから主に構成されている。
【００５５】
次に、上記構成を有する送信装置の動作について説明する。
制御チャネル信号は、シリアル／パラレル変換部５０１においてシリアル／パラレル変換され、２つのデータ変調回路５０２及び５０３に入力され、データ変調処理が施される。また、乗算器５０４及び５０６では、ロングコードＬＣｊとショートコードＳＣ０，ＳＣ１とが乗算される。このように乗算されたロングコードＬＣｊ及びショートコードＳＣ０がデータ変調回路５０２の出力に乗算器５０５で乗算され、ロングコードＬＣｊ及びショートコードＳＣ１がデータ変調回路５０３の出力に乗算器５０７で乗算される。
【００５６】
例えば、この送信装置を備えた基地局装置においては、ロングコードＬＣｊは、各基地局で異なるように割り当てられる。また、上述したように、制御チャネル信号は、ロングコードＬＣｊ及びショートコードＳＣで二重に拡散される。このため、各基地局では、共通のショートコード群を使用することができる。
【００５７】
一方、サーチコード多重部では、ショートコードＣＳＣとグループ識別コードＧＩＣｊが加算器５０８で加算され、スイッチ（ＴＳＷ）５０９の切替えにより、いずれかの制御チャネル信号に多重されるようになっている。スイッチ５０９の切替えは、送信アンテナ切替制御信号５１３により制御される。
【００５８】
また、スイッチ（ＳＷ０）５１０及びスイッチ（ＳＷ１）５１１では、所定のタイミングでスイッチがＯＮ状態となり、前記ショートコードＣＳＣとグループ識別コードＧＩＣｊがそのタイミングで制御チャネル信号に多重される。
【００５９】
したがって、スイッチＴＳＷ５０９が図５中の波形のタイミングでＯＮになっている、すなわち多重先と選択されている場合において、スイッチＳＷ０，ＳＷ１が図５中の波形のタイミングでＯＮとなり、制御チャネル信号にショートコードＣＳＣとグループ識別コードＧＩＣｊが多重される。なお、このスイッチＳＷ０，ＳＷ１は、マスク制御信号５１２により制御される。すなわち、スイッチＳＷ０，ＳＷ１は、特定のタイミングでいずれかの制御チャネル信号にショートコードＣＳＣとグループ識別コードＧＩＣｊが多重されるように制御される。このように制御することにより、図８及び図９に示すように、サーチコードがマスク８０１，９０１として多重される。
【００６０】
本実施の形態においては、サーチコード多重部が、図５に示すように、複数のコード（ここでは２つ）が制御チャネル信号に同期して多重されるように、サーチコードの多重先を切り替える構成である場合について説明しているが、実施の形態１と同様に、図７に示す構成、すなわち複数のコードが制御チャネル信号に独立して多重されるように、サーチコードの多重先を切り替える構成であっても良い。なお、この構成については実施の形態３で詳述する。
【００６１】
本実施の形態の送信装置によれば、サーチコードの送信アンテナを切替え、瞬時では１つのアンテナからのみサーチコードが送信されるようにする。この場合、切替えは、周期的でもランダムでも良い。すなわち、サーチコードだけはＴＳＴＤにより送信する。
【００６２】
この場合、並列送信により送信データ量がアンテナの数分の１に減少するので、同一帯域で送信する場合には、その分アンテナの数倍に拡散率を高くすることができる。例えば、アンテナが１本の場合に６４倍拡散であると、アンテナが２本の場合に１２８倍拡散となる。したがって、並列送信により各アンテナの送信パワがアンテナの数分の１に下がったとしても、各アンテナの基本特性は１本の時と変わらない。
【００６３】
また、本実施の形態の送信装置によれば、シリアル／パラレル変換された信号がそれぞれ別々のアンテナから異なるパスで送信されるので、１本のアンテナで送信する場合に比べて、バースト誤りなどの低速フェージング時の集中誤りや、木やビル影などによるゆっくりとした受信電力変動による劣化を低減することができる。
【００６４】
本実施の形態の送信装置は、それぞれのアンテナから送信した信号を受信側で各々検波した後にパラレル／シリアル変換し、その後に誤り訂正復号を行なう場合に特に効果的である。
【００６５】
さらに、本実施の形態の送信装置によれば、受信側において、セルサーチに必要なマッチドフィルタなどの相関器の数を減らすことができ、受信特性を向上しつつ装置構成を簡易なものにすることができる。
【００６６】
なお、制御チャネルの送信ダイバーシチ方式とサーチコードの送信ダイバーシチ方式は異なる方式であり、それぞれに得られる効果や所要受信特性が異なることから、サーチコードの送信パワは制御チャネルの送信パワ制御とは独立に制御されること考えられる。例えば、制御チャネルは２本のＯＴＤにより、半分（０．５）のパワで送信される場合でも、サーチコードは１本の場合と同パワ（１）で送信することが考えられる。
【００６７】
（実施の形態３）
本実施の形態では、ショートコード（ＣＳＣ）とショートコード（ＧＩＣｊ）が同時に同一アンテナから送信されないように、送信ダイバーシチを行なう場合について説明する。
【００６８】
ＣＤＭＡ無線通信システムにおいて、制御チャネルの送信電力に比べて、サーチコードの送信電力が強いことが考えられる。このとき、複数のサーチコードを１つの制御チャネルに同期して多重されるように切り替えて送信する場合には、サーチコードの伝送タイミング時に極めて高い送信ピーク電力が要求される。この要求を満たすためには、ダイナミックレンジが大きい高価なパワアンプが必要になる。このため、送信装置の送信アンプにおいて要求されるピークファクタを低減することが望まれる。
【００６９】
本実施の形態では、制御データの送信方法として、並列送信の一態様であるＯＴＤを採用した場合について説明する。図１０を用いて本実施の形態の送信装置について説明する。図１０は、本発明の実施の形態３に係る基地局装置における送信装置の構成を示すブロック図である。この図１０に示す送信装置は、図５に示す送信装置と図７に示す切り替え部構成とを組み合わせたものである。
【００７０】
すなわち、この送信装置は、２系統のＯＴＤ送信が可能であり、制御チャネル信号をシリアル／パラレル変換するシリアル／パラレル変換部５０１と、制御チャネル（例えば止まり木チャネル）信号についてデータ変調を行なうデータ変調回路５０２，５０３と、変調された信号に特定の拡散コードを乗算する乗算器５０５，５０７と、ロングコードＬＣｊとショートコードＳＣ０，ＳＣ１とをそれぞれ乗算する乗算器５０４，５０６と、サーチコードであるショートコードＣＳＣを発生するＣＳＣ発生部と、同じくサーチコードであるグループ識別コードＧＩＣｊを発生するＧＩＣｊ発生部と、サーチコードの多重先を切り替える切替手段であるスイッチ７０１，７０２と、拡散変調された信号とサーチコードを切替えて時間多重するスイッチ（ＳＷ０）５１０，（ＳＷ１）５１１とを備えている。
【００７１】
次に、上記構成を有する送信装置の動作について説明する。
制御チャネル信号は、シリアル／パラレル変換部５０１においてシリアル／パラレル変換され、２つのデータ変調回路５０２及び５０３に入力され、データ変調処理が施される。また、乗算器５０４及び５０６では、ロングコードＬＣｊとショートコードＳＣ０，ＳＣ１とが乗算される。このように乗算されたロングコードＬＣｊ及びショートコードＳＣ０がデータ変調回路５０２の出力に乗算器５０５で乗算され、ロングコードＬＣｊ及びショートコードＳＣ１がデータ変調回路５０３の出力に乗算器５０７で乗算される。
【００７２】
例えば、この送信装置を備えた基地局装置においては、ロングコードＬＣｊは、各基地局で異なるように割り当てられる。また、上述したように、制御チャネル信号は、ロングコードＬＣｊ及びショートコードＳＣで二重に拡散される。このため、各基地局では、共通のショートコード群を使用することができる。
【００７３】
一方、ショートコードＣＳＣとグループ識別コードＧＩＣｊは、連動して切り替わるスイッチ（ＴＳＷ）７０１，７０２で特定のタイミングで切り替えられることにより、ショートコードＣＳＣとグループ識別コードＧＩＣｊが、異なるアンテナから送信される。したがって、各々のアンテナから送信されるサーチコードが常に入れ替わるように多重先が制御される。
【００７４】
そして、スイッチ（ＳＷ０）５１０及びスイッチ（ＳＷ１）５１１では、所定のタイミングでスイッチがＯＮ状態となり、前記ショートコードＣＳＣとグループ識別コードＧＩＣｊが同一タイミングで制御チャネル信号に多重される。
【００７５】
したがって、スイッチ（ＴＳＷ）７０１，７０２が図１０中の波形のタイミングでＯＮになっている、すなわちＣＳＣはＳＷ０側を、ＧＩＣｊはＳＷ１側を多重先として選択されている場合において、スイッチＳＷ０，ＳＷ１が図１０中の波形のタイミングでＯＮとなり、制御チャネル信号にショートコードＣＳＣとグループ識別コードＧＩＣｊが多重される。
【００７６】
なお、スイッチＴＳＷ７０１，７０２は、送信アンテナ切替制御信号７０５により制御され、また、スイッチＳＷ０，ＳＷ１は、マスク制御信号５１２により制御される。すなわち、スイッチＳＷ０，ＳＷ１は、特定のタイミングでいずれかの制御チャネル信号にショートコードＣＳＣとグループ識別コードＧＩＣｊを多重するように制御され、スイッチＴＳＷ７０１，７０２は各制御チャネルに多重されるサーチコードが毎回入れ替わるように制御される。
【００７７】
上記のような動作をしたときの多重信号の例を図１１に示す。図１１において、制御チャネルは１６スロットで構成される１０ｍｓフレームの内において、０番（ＴＳ０）と８番（ＴＳ８）をＣＣＨスロットとして送信されるものとする。このＴＳ０，ＴＳ８において、ＣＳＣとＧＩＣｊは、２本のアンテナＡとアンテナＢの別々のアンテナから送信され、また、ＣＳＣはＡ→Ｂ→Ａ、ＧＩＳｊはＢ→Ａ→Ｂと送信アンテナを切替ながら送信されている。
【００７８】
本実施の形態の送信装置によれば、各サーチコードは送信タイミング毎に異なるアンテナから送信されるので、送信ダイバーシチ効果を得られる。また、制御チャネルの送信電力に比べて、サーチコードの送信電力が強い場合においても、複数のサーチコードが同時に同一アンテナから送信することを防止できるため、送信アンプにおいて要求されるピークファクタを低減することができる。
【００７９】
ショートコードＣＳＣとショートコードＧＩＣｊを別々のアンテナから送信する場合において、サーチコードを送信するチャネルと制御チャネルとが別々であることが考えられる。この状態を図１２及び図１３に示す。
【００８０】
図１２に示す場合では、アンテナＡでは、ＴＳ０のときにショートコードＣＳＣと制御チャネル信号をコード多重して送信し、ＴＳ８のときにショートコードＧＩＣｊと制御チャネル信号をコード多重して送信する。
【００８１】
一方、アンテナＢでは、ＴＳ０のときにショートコードＧＩＣｊと制御チャネル信号をコード多重して送信し、ＴＳ８のときにショートコードＣＳＣと制御チャネル信号をコード多重して送信する。
【００８２】
このようなコード多重の送信形態においても、各サーチコードは送信タイミング毎に異なるアンテナから送信されるので、送信ダイバーシチ効果を得られる。また、制御チャネルの送信電力に比べて、サーチコードの送信電力が強い場合においても、複数のサーチコードが同時に同一アンテナから送信することを防止できるため、送信アンプにおいて要求されるピークファクタを低減することができる。
【００８３】
図１３に示す場合においては、送信形態はコード多重であるが、サーチコードＣＳＣ，ＧＩＣｊと制御チャネル信号が多重して送信されていない。すなわち、ショートコードＣＳＣ，ＧＩＣｊは、ＴＳ０及びＴＳ８で交互にアンテナＡ，Ｂから送信されるが、制御チャネル信号は、ＴＳ３及びＴＳ１１で送信される。このように、本実施の形態は、チャネル配置の自由度を高めるダイナミックチャネルアサイン方式を採用するシステムにおいても適用可能である。
【００８４】
このように制御チャネル信号の送信タイミングを可変として、スロット割り付けの自由度を高めた場合においても、各サーチコードは送信タイミング毎に異なるアンテナから送信されるので、送信ダイバーシチ効果を得られる。また、制御チャネルの送信電力に比べて、サーチコードの送信電力が強い場合においても、複数のサーチコードが同時に同一アンテナから送信することを防止できるため、送信アンプにおいて要求されるピークファクタを低減することができる。
【００８５】
本発明は、上記実施の形態１〜３に限定されず、種々変更して実施することが可能である。
【００８６】
また、上記実施の形態１〜３においては、ロングコードと乗算するショートコードＳＣとグループ識別コードＧＩＣと加えるショートコードＣＳＣに異なるショートコードを用いた場合について説明しているが、本発明は、ロングコードと乗算するショートコードＳＣとグループ識別コードＧＩＣと加えるショートコードＣＳＣに同じショートコードを用いても良い。
【００８７】
【発明の効果】
以上説明したように本発明の送信装置は、制御チャネルが、ＯＴＤを含む並列送信による送信ダイバーシチ効果によりフェージング変動（特に低速移動時）やシャドウイングに対して強くなり受信特性の向上が図れる。また、サーチコードに対しても切替え送信ダイバーシチ効果が発揮され、フェージング変動、特に低速移動時のフェージング変動やシャドウイングに対して強くなり、受信側における受信特性が向上する。
【００８８】
また、本発明の送信装置によれば、１セクタ当たりのサーチコードに要するコード数を増加させることなく、かつ受信側においてはサーチコードに要するマッチドフィルタ数を増加させることなくダイバーシチ効果を得ることができる。これにより、サーチコードの受信特性を改善し初期同期特性の向上を図ることができる。
【図面の簡単な説明】
【図１】本発明の実施の形態１に係る基地局装置における並列送信を行なう装置の構成を示すブロック図
【図２】上記実施の形態に係る基地局装置におけるロングコードマスクの生成を行なう装置の構成を示すブロック図
【図３】上記実施の形態に係る基地局装置における送信装置の構成を示すブロック図
【図４】本発明の実施の形態２に係る基地局装置における直交送信ダイバーシチを行なう装置の構成を示すブロック図
【図５】上記実施の形態に係る基地局装置における送信装置の構成を示すブロック図
【図６】上記実施の形態１及び２における送信装置のサーチコード多重部の構成を示す説明図
【図７】上記実施の形態１及び２における送信装置のサーチコード多重部の構成を示す説明図
【図８】上記実施の形態１及び２において、制御チャネルにサーチコードを多重するタイミングを説明するための図
【図９】上記実施の形態１及び２において、制御チャネルにサーチコードを多重するタイミングを説明するための図
【図１０】本発明の実施の形態３に係る基地局装置における送信装置の構成を示すブロック図
【図１１】上記実施の形態３において、制御チャネルにサーチコードを多重するタイミングを説明するための図
【図１２】上記実施の形態３において、制御チャネルとサーチコード用チャネルがコード多重されている場合の多重タイミングを説明するための図
【図１３】上記実施の形態３において、制御チャネルとサーチコード用チャネルがコード多重されている場合の多重タイミングを説明するための図
【符号の説明】
１０１，１０２  データ変調部
１０３，１０４  拡散変調部
１０５，１０６  無線送信回路
２０１，３０１，３０２  データ変調回路
２０２，２０３，３０３〜３０６  乗算器
２０４，３０７  加算器
２０５，３０８〜３１０  スイッチ
３１１  送信アンテナ切替制御信号
３１２  マスク制御信号
８０１，９０１  マスク
【図１】
0003705749.tif 000002
【図２】
0003705749.tif 000003
【図３】
0003705749.tif 000004
【図４】
0003705749.tif 000005
【図５】
0003705749.tif 000006
【図６】
0003705749.tif 000007
【図７】
0003705749.tif 000008
【図８】
0003705749.tif 000009
【図９】
0003705749.tif 000010
【図１０】
0003705749.tif 000011
【図１１】
0003705749.tif 000012
【図１２】
0003705749.tif 000013
【図１３】
0003705749.tif 000014